(57)【要約】【課題】  ユーザーが自分で撮像装置を操作して自分を被写体として撮影する際に、自分自身だけでなく所望の物体が適切に配置された画像を撮像することが可能な撮像装置を提供する。【解決手段】  撮像手段と、撮像手段で生成された画像データに含まれる物体および人物を検出する検出手段と、検出手段によって検出された物体に基づいて、撮像動作を行うための第１の条件を決定する決定手段と、検出手段によって検出された物体が第１の条件を満たし、かつ、検出手段によって検出された人物が第２の条件を満たす場合に、撮像手段が撮像して得られた画像データを記録手段に記録させる制御手段を備えた撮像装置とする。【選択図】  図３
2018014698.tif 000002
【特許請求の範囲】
【請求項１】
撮像手段と、
前記撮像手段で生成された画像データに含まれる物体、および、人物を検出する検出手段と、
前記検出手段によって検出された物体に基づいて、撮像動作を行うための第１の条件を決定する決定手段と、
前記検出手段によって検出された物体が第１の条件を満たし、かつ、前記検出手段によって検出された人物が前記第１の条件とは異なる第２の条件を満たす場合に、前記撮像手段が撮像して得られた画像データを記録手段に記録させる制御手段を有することを特徴とする撮像装置。
【請求項２】
前記決定手段は、前記検出手段で検出された物体の種別に応じて、前記第１の条件を変更することを特徴とする請求項１に記載の撮像装置。
【請求項３】
前記検出手段が複数の物体を検出した場合には、前記決定手段は、ユーザーの指示に応じて選択された物体の種別に応じて、前記第１の条件を設定し、
前記制御手段は、前記ユーザーの指示に応じて選択された物体が前記第１の条件を満たし、かつ、前記検出手段によって検出された人物が前記第１の条件とは異なる第２の条件を満たす場合に、前記撮像手段が撮像して得られた画像データを記録手段に記録させることを特徴とする請求項２に記載の撮像装置。
【請求項４】
前記第１の条件は、前記検出手段によって検出された物体のうち、予め決められた割合以上の領域が前記画像データに含まれていることであることを特徴とする請求項１乃至３のいずれか１項に記載の撮像装置。
【請求項５】
前記第１の条件は、前記検出手段によって検出された物体が、前記画像データのうちの予め決められた割合以上の領域を占めていることであることを特徴とする請求項１乃至３のいずれか１項に記載の撮像装置。
【請求項６】
前記第２の条件は、前記検出手段によって検出された人物が、前記画像データの所定領域に位置することであることを特徴とする請求項１乃至５のいずれか１項に記載の撮像装置。
【請求項７】
撮像手段と、前記撮像手段で生成された画像データに含まれる物体、および、人物を検出する検出手段と、を有する撮像装置の制御方法であって、
前記検出手段によって検出された物体に基づいて、撮像動作を行うための第１の条件を決定する工程と、
前記検出手段によって検出された物体が第１の条件を満たし、かつ、前記検出手段によって検出された人物が前記第１の条件とは異なる第２の条件を満たす場合に、前記撮像手段が撮像して得られた画像データを記録手段に記録させる工程とを有することを特徴とする撮像装置の制御方法。
【発明の詳細な説明】
【技術分野】
【０００１】
本発明は、ユーザーが自らを被写体として撮像できる撮像装置および撮像装置の制御方法に関するものである。
【背景技術】
【０００２】
従来、画像内の顔領域が所望の位置に配置されるように画像を撮像するという技術がある。
【０００３】
例えば、特許文献１では、撮像装置の光学系を撮像装置の操作をするユーザー自身の方向へ向けた場合に、ライブビュー画像から顔領域を検出し、この顔領域が画面内の適切な位置に配置されたタイミングで自動的に撮像動作を実行する構成が開示されている。
【先行技術文献】
【特許文献】
【０００４】
【特許文献１】特開２０１２−０１０１６２号公報
【発明の概要】
【発明が解決しようとする課題】
【０００５】
しかしながら、特許文献１に開示された構成は、人物の顔領域を適切に配置することはできるが、顔領域と、顔領域以外の所望の物体を適切な位置関係に配置して撮像するということまでは考慮されていない。例えば観光地などにおいて、ユーザーは自分とその観光地におけるランドマークとなる建造物と一緒に写った画像を撮影したいという要求があると思われる。特許文献１に開示された構成では、顔領域は適切に配置された画像を得ることはできるが、それが図１（ｃ）に示すような所望の構図になるとは限らず、図１（ｂ）に示す構図になってしまう可能性も大いにある。
【０００６】
そこで本発明の目的は、ユーザーが自分で撮像装置を操作して自分を被写体として撮影する際に、自分自身だけでなく所望の物体が適切に配置された画像を撮像することが可能な撮像装置を提供することである。
【課題を解決するための手段】
【０００７】
上記目的を達成するために、本発明に係る撮像装置は、撮像手段と、前記撮像手段で生成された画像データに含まれる物体、および、人物を検出する検出手段と、前記検出手段によって検出された物体に基づいて、撮像動作を行うための第１の条件を決定する決定手段と、前記検出手段によって検出された物体が第１の条件を満たし、かつ、前記検出手段によって検出された人物が前記第１の条件とは異なる第２の条件を満たす場合に、前記撮像手段が撮像して得られた画像データを記録手段に記録させる制御手段を有することを特徴とする。
【発明の効果】
【０００８】
本発明によれば、ユーザーが自分で撮像装置を操作して自分を被写体として撮影する際に、自分自身だけでなく所望の物体が適切に配置された画像を撮像することが可能な撮像装置を提供することができる。
【図面の簡単な説明】
【０００９】
【図１】自分を被写体として撮影した際に得られる画像の例を示す図である。
【図２】本発明における撮像装置の内部構成を示すブロック図である。
【図３】本発明の第１の実施形態における撮像処理のフローチャートである。
【図４】本発明の第１の実施形態における特定物体を選択する方法を説明するための図である。
【図５】本発明の第１の実施形態における撮像動作トリガの一例を説明するための図である。
【図６】本発明の第１の実施形態における撮像動作トリガの別の一例を説明するための図である。
【図７】本発明の第１の実施形態における撮像動作の動きを説明するための図である。
【図８】本発明の第１の実施形態における物体の種別と撮像動作トリガの対応を説明するための図である。
【発明を実施するための形態】
【００１０】
以下に、本発明の好ましい実施の形態を、図面を用いて詳細に説明する。図２は、本発明の実施形態に係る撮像装置２００の内部構成を示すブロック図である。
【００１１】
撮像部２０１は複数のレンズによる光学系とセンサによって構成される。ＬＣＤ表示部２０２は撮像中に撮像部２０１で生成された画像データに基づく画像を表示したり、撮像済みの画像データの確認を行うために用いられる。ＬＣＤ操作部２０３はＬＣＤ表示部２０２の上に配置されており、使用者が指などで触れることを検知するセンサとして機能し、その検知情報を操作のための情報としてＣＰＵ２０６にバスを通して送る。物体検出部２０４は撮像部２０１によって得られた画像データに対して物体検出処理を行う。物体検出処理は画像内部の人物、物体の検出、それらの位置、大きさなどのデータの算出を行い、ＣＰＵ２０６に送る。
【００１２】
ボタン操作部２０５はユーザーからの指示を操作ボタン等で受けつける。
【００１３】
ＣＰＵ２０６は撮像装置２００の処理の全体を統括し、制御する。ＲＯＭ２０７は撮像装置２００の処理プログラムや、処理に必要な情報が予め保持されており、ＣＰＵ２０６はこのＲＯＭ２０７に保持された処理プログラムに基づいて動作する。ＲＡＭ２０８は処理中の一時的なデータ保持する役割を担う。メモリスロット２０９は記録データをメモリカード２１０に読み書きするためのインタフェースである。メモリカード２１に０はメモリスロット２０９を通じて画像データが記録される。
【００１４】
撮像部２０１乃至メモリスロット２０９まではバスによって連結されており、データの相互通信ができる。
【００１５】
図３は本実施形態における撮像処理のフローチャートであり、ＣＰＵ２０６はステップＳ３０１から処理を開始する。
【００１６】
ＣＰＵ２０６は、ステップＳ３０２において、ＬＣＤ操作部２０３やボタン操作部２０５がユーザーによって操作され、ユーザー自身と特定の物体とを画角に納めた撮影を行う自分撮りモードがＯＮに設定されたことを判定したものとする。
【００１７】
続くステップＳ３０３において、ＣＰＵ２０６は、物体検出部２０４に対して、撮像部２０１が生成した新たな画像データから人物および物体の検出処理を行わせる。このとき、画像内にある人物の顔の大きさ、位置の検出を行うとともに、その他の一般物体の検出も行わせる。一般物体はその種別、大きさ、位置などが判定される。
【００１８】
ステップＳ３０４において、ＣＰＵ２０６は、ユーザーによる物体指定操作があるかどうかを判定する。このときの動作を図４を用いて説明する。図４は、本実施形態における特定物体を選択する方法を説明するための図である。
【００１９】
まず、図４（ａ）に示すように、ユーザーは自分とともに写りたい物体に撮像装置２００向ける。このときＬＣＤ表示部２０２に表示されている画像を図４（ｂ）に示す。図４（ｂ）では、４つの物体が検出されており、それぞれの検出領域が矩形領域で表わされ、その種別が矩形領域に付随して表示されている。図４（ｂ）で表示されている領域は、タワー領域４０１、建物１領域４０２、建物２領域４０３、および車領域４０４の４つである。
【００２０】
本実施形態では、ユーザーがこのタワーと共に画角に収まる画像を撮像する場合を考える。ステップＳ３０４において、ＣＰＵ２０６は、ユーザーがＬＣＤ操作部２０３を操作することで、どの領域を選択したかを判定する。ここでは、タワー領域４０１が選択されたものとする。ここで、ユーザーによる領域の選択が行われた場合にはステップＳ３０５に進み、行われない場合にはステップＳ３０６に進む。
【００２１】
ステップＳ３０５において、ＣＰＵ２０６は、指定された物体の種別から、物体撮像トリガを決定する処理を行う。この処理を図４乃至６、および図８を用いて説明する。撮像装置２００は図８に示す物体の種別と撮像動作トリガの対応テーブルを予め保持しており、ステップＳ３０５においては、この対応テーブルに基づいて物体撮像トリガを決定する。図４に示す動作例では、ユーザーは一緒に撮像される物体としてタワーを選択し、タワー領域４０１を選択した。このとき、図８のテーブルでは、物体種別がタワーの場合にこれに対応する撮像動作トリガは「物体内上位４０％」となっている。この指示に従い、タワー領域４０１の上部領域４０％を撮像動作トリガ領域４０５として設定する。この領域が撮像画像内に含まれていることが撮像動作のトリガ条件として設定される。
【００２２】
ユーザーが設定した物体が、例えば自動車であった場合の例を図５に示す。この場合、図８に示すように撮像動作トリガは物体領域の任意の６０％部分が撮像画像内に含まれていることが撮像動作のトリガ条件として設定される。図５（ａ）では自動車領域５０１に人物の顔領域５０２が重畳しているが、重畳している面積量が小さいため、自動車領域５０１の６０％以上が撮像画像に存在する。この場合は撮像動作トリガの条件を満たしているものと判定される。反対に図５（ｂ）の場合、顔領域５０４が自動車領域５０３の半分以上の領域に対して重畳しており、自動車領域の６０％以上が撮像画像に存在するという条件が満たしていないと判定される。
【００２３】
ユーザーが設定した物体が、例えばオーロラであった場合の例を図６に示す。この場合、図８に示すように、オーロラが撮像画像の画面３０％以上を占めることが撮像動作のトリガ条件として設定される。図６（ａ）では検出されているオーロラの領域が撮像画面全体の半分近くに達しており、所定の割合以上の面積を占めており、撮像動作トリガの条件を満たしているものと判定される。反対に図６（ｂ）では、撮像画面のごく少量の領域しか占めておらず、撮像動作トリガの条件を満たしていないものと判定される。図８に示した物体種別と撮像動作トリガは、本実施例では予め保持されているものとしているが、操作者が自由に条件を設定できるようにして実施しても良い。
【００２４】
ＣＰＵ２０６は、ステップＳ３０４で物体指定操作がないと判定した場合には、ステップＳ３０６へ進み、既に何らかの物体が指定された後であるかどうかの判定を行う。物体が指定済みであった場合、ステップＳ３０７へ進み、指定がなされていない場合、ステップＳ３０３へ戻る。
【００２５】
続くステップＳ３０７において、ＣＰＵ２０６はユーザーに画角の調整のためにカメラを動かすよう音声や表示による指示を出す。これを受けて、図７（ａ）に示すようにユーザーは、自分と一緒に移りたい物体の両方が画角内に写り込むよう撮像装置２００の向きや画角を色々と変更する。ステップＳ３０８では、ＣＰＵ２０６は、画像を解析した結果として、物体撮像トリガ条件を満たすかどうかを判定し、満たしていればステップＳ３０９へ進み、満たしていなければスタップＳ３０３へ戻る。図７（ｂ）は撮像動作トリガの条件をクリアしていない場合の例であり、図７（ｃ）は撮像動作トリガの条件をクリアしている場合の例である。
【００２６】
ステップＳ３０９において、ＣＰＵ２０６は、物体ではなく顔領域が撮像トリガ条件を見対しているかを判定する。この条件は撮像画面の所定領域に人物の顔領域が配置されているかを判断している。本実施例においては、人物の顔領域が１つでも撮像画面の所定領域に存在すれば条件を満たすと判定する。これに加え、人物の顔領域の大きさ、位置、数などに追加で条件を設定して顔撮像トリガ条件と設定しても良い。条件を満たしていればステップＳ３１０へ進み、満たしていなければステップＳ３０３へ戻る。
【００２７】
ステップＳ３１０では撮像動作を行い、撮像部２０１から得られた画像データに対して現像処理を施した後、メモリスロット２０９を介してメモリカード２１０に保存、ステップＳ３１１へ移り、動作終了となる。
【００２８】
以上の処理を行うことで、ユーザーが自分で撮像装置を操作して自分を被写体として撮影する際に、自分自身だけでなく所望の物体が適切に配置された画像を撮像することが可能な撮像装置を提供することができる。
【００２９】
なお、撮像装置２００に音声出力装置やＬＥＤ表示器などを備え、図３のフローチャート中のステップＳ３０７において、操作者に適切な方向、画角への誘導を行う構成としても良い。
【００３０】
以上、本発明の好ましい実施形態について説明したが、本発明はこれらの実施形態に限定されず、その要旨の範囲内で種々の変形及び変更が可能である。
【符号の説明】
【００３１】
２００  撮像装置
２０１  撮像部
２０２  ＬＣＤ表示部
２０３  ＬＣＤ操作部
２０４  物体検出部
２０５  ボタン操作部
２０６  ＣＰＵ
２０７  ＲＯＭ
２０８  ＲＡＭ
２０９  メモリスロット
２１０  メモリカード
【図１】
2018014698.tif 000003
【図２】
2018014698.tif 000004
【図３】
2018014698.tif 000005
【図４】
2018014698.tif 000006
【図５】
2018014698.tif 000007
【図６】
2018014698.tif 000008
【図７】
2018014698.tif 000009
【図８】
2018014698.tif 000010